(57)【要約】      （修正有）【課題】簡易な構造であって、大地震による建物の倒壊によっても損壊することない剛性構造を有する耐震机用枠体、これを使用した耐震机、等を提供する。【解決手段】枠体１００は、断面正方形の金属製角パイプからなり、４本の支柱と、長尺材及び短尺材を配して溶接した略直方体である。耐震机１００ａは、枠体１００に天板１６０、抽斗１７０、棚１７１、机板材１６１を備える。この机は転倒防止材１１０ｃを備え、短尺材１１０の上部の固定部１１０ａでこれを固定して本机の転倒を防止する。【選択図】図２
0003156609.tif 000002
【実用新案登録請求の範囲】
【請求項１】
耐震机用枠体であって、
上記枠体は断面正方形の金属製角パイプからなり、４本の支柱と、該枠体の下段部、上段部及び中段に長尺材及び短尺材を配して溶接した略直方体であり、
上記枠体の下段部は２本の短尺材と１本の長尺材からコの字形状に溶接され、該短尺材の各端部には上記４本の支柱が設けられ、
上記下段部短尺材は、転倒防止材を両方向から挿入可能であり、挿入された上記転倒防止材は上記下段部短尺材の上部に貫通孔と該貫通孔上にナットを溶接した固定部を供え、上記ナットに螺合するボルトで貫通孔を介して上記転倒防止材を押圧して固着することができることを特徴とする耐震机用枠体。
【請求項２】
上記枠体を構成する４本の支柱のうちの２本及び相対する２本の支柱の同位置に複数のアングル鋼材を架渡して抽斗受け及び／又は棚受けを備えた請求項１記載の耐震机用枠体。
【請求項３】
上記耐震机用枠体に用いた断面正方形の金属製角パイプと同一の寸法の金属製角パイプからなり、４本の支柱と、該枠体の下段部及び上部に長尺材及び短尺材を配して溶接した略直方体である耐震家具用枠体と、
上記耐震机用枠体と、
を枠体結合具及び継手を用いて結合し、
上記枠体結合具は断面正方形の金属性角パイプにより平面視矩形状に形成され、該枠体の４隅に継手を挿入して固定するための断面正方形の金属性角パイプであって、横断面外形寸法が該支柱と同一の金属角パイプからなる係止部を備え、上記係止部は外壁面に上記固定用ボルトを螺合するためのナットが溶接により配設され、該ナットに螺合された上記固定用ボルトが上記壁面を貫通する貫通孔が設けられ、
上記継手は、上記支柱と肉厚、縦及び横の寸法が同一の金属製角パイプからなる外側角パイプに、該外側角パイプより長尺且つ該角パイプに挿入可能な内側角パイプであって、該内側角パイプの両端が該外側パイプから突出して溶接したものであることを特徴とする結合耐震机用枠体。
【請求項４】
更に、請求項３に記載の結合耐震机用枠体の２基を、枠体連結具を用いて連結したことを特徴とする連結耐震机用枠体。
【請求項５】
請求項４に記載の連結耐震机用枠体を構成する支柱の上端部、上記結合具係止部及び上記連結具係止部に、継手と該継手に挿入可能な木製角材保持具を備え、且つ上記結合具係止部を構成する長尺材及び上記連結具係止部を構成する長尺材の中央に上記木製角材保持具を備え、
上記継手は上記支柱と肉厚、縦及び横の寸法が同一の金属製角パイプからなる外側角パイプに、該外側角パイプより長尺且つ該外側角パイプに挿入可能な内側角パイプであって、該内側角パイプの一端が該外側角パイプから突出して溶接されたものであり、
上記木製角材保持具は木製角材が挿入可能な金属性角パイプに対して直角に、上記継手の内側角パイプに挿入可能な金属性丸パイプが溶接されたものであることを特徴とする耐震仮設住宅用枠体。
【請求項６】
請求項２に記載の耐震家具用枠体に抽斗受け及び／又は棚受けに抽斗及び／又は棚を、上段部には天板を、中段部には机板材を配設し、下段部短尺材に転倒防止材を挿入してボルトで該転倒防止材を固定したことを特徴とする耐震机。
【請求項７】
上記抽斗は、底板の上部の１部分に抽斗用枠部が設けられたものである請求項６記載の耐震机。
【請求項８】
上記請求項３の耐震机用枠体に抽斗受け及び／又は棚受けに抽斗及び／又は棚を、上段部には天板を、中段部には机板材を配設し、上記耐震家具用枠体の上段部には天板を、支柱に抽斗受けを設けて抽斗を配設し、且つ枠体結合具上に天板を配設したことを特徴とする結合耐震机。
【請求項９】
請求項４に記載の耐震机用枠体の上段部に天板、中段部に机板材、抽斗用受け及び／又は棚受けに斗用及び／又は棚板材を備え、上記耐震家具用枠体の上段部には天板を、抽斗受けを設けて抽斗を配設し、且つ上記枠体連結具上に天板を備えたことを特徴とする連結耐震机。
【請求項１０】
請求項５に記載の耐震仮設住宅用枠体が備える木製角材保持具に、木製角材が連通して配設され、該木製角材に屋根用板材が取付けられた耐震仮設住宅。
【考案の詳細な説明】
【技術分野】
【０００１】
本考案は、耐震机用枠体とこれを使用した耐震机、結合耐震机、連結耐震机及び耐震仮設住宅に関する。詳しくは地震による倒壊家屋によっても損壊することがない剛性構造の耐震机用枠体と、これを使用した地震発生時に内部に避難可能である耐震机、結合耐震机、連結耐震机及び耐震仮設住宅に関する。
【背景技術】
【０００２】
建物の倒壊、二階屋の一階部分の崩壊は地震発生から１０秒以内に起こると報告されている。同様に家具の転倒、照明器具あるいは天井部の落下等もこの間に発生する。このため被災者は屋外に避難するための時間的余裕はない。この地震による家屋倒壊等から人命を守るのは家屋内に剛性構造のシェルター機能を有し、内部に避難可能な耐震家具を備えるのが最も有効な方法と考えられる。
【０００３】
本願考案者は、地震の被害から人命を守るために倒壊家屋によっても損壊することのない剛性構造のシェルター機能を有する耐震性に優れたベッドを開示している（下記特許文献１参照）。また、机等としても使用できる組立て式の耐震家具も開示している（下記特許文献２参照）。これらのシェルター機能を有する家具は、大地震による建物の倒壊に十分耐えられる剛性構造を有しているが、組立てがやや複雑であり、また、机としての機能が不十分のきらいがあった。
【特許文献１】実用新案登録第３１４５６４９号
【特許文献２】実用新案登録第３１４９９５３号
【考案の開示】
【考案が解決しようとする課題】
【０００４】
そこで、簡易な構造であって、大地震による建物の倒壊によっても損壊することない剛性構造を有する耐震机用枠体、これを使用した耐震机であって机としての機能に優れた耐震机、組立て容易な結合耐震机、連結耐震机及びこれらの耐震性に優れた机を使用したシェルター機能の優れた耐震仮設住宅を提供する。
【課題を解決するための手段】
【０００５】
本願考案は下記のとおりである。
１．耐震机用枠体であって、
上記枠体は断面正方形の金属製角パイプからなり、４本の支柱と、該枠体の下段部、上段部及び中段に長尺材及び短尺材を配して溶接した略直方体であって、
上記枠体の下段部は２本の短尺材と１本の長尺材からコの字形状に溶接され、該短尺材の各端部には上記４本の支柱が設けられ、
上記下段部短尺材は、転倒防止材を両方向から挿入可能であり、挿入された上記転倒防止材は上記下段部短尺材の上部に２個の貫通孔と該貫通孔上にナットを溶接した固定部を供え、上記ナットに螺合するボルトで貫通孔を介して上記転倒防止材を押圧して固着する。この転倒防止材は必要でない場合は下段部短尺材の中に収納することができる。
【０００６】
２．上記枠体を構成する４本の支柱のうちの２本及び相対する２本の支柱の同位置に複数のアングル鋼材を架渡して抽斗受け及び／又は棚受けを備える。た請求項１記載の耐震机用枠体。この受けは枠体の剛性をたかめるとともに、使い勝手のよい耐震家具用枠体とすることができる。
【０００７】
３．上記耐震机用枠体に用いた断面正方形の金属製角パイプと同一の寸法の金属製角パイプからなり、４本の支柱と、該枠体の下段部及び上部に長尺角パイプ及び短尺パイプを配して溶接した略直方体である耐震家具用枠体と、上記耐震机用枠体と、を枠体結合具及び継手を用いて結合し、
上記枠体結合具は断面正方形の金属性角パイプにより平面視矩形状に形成され、該枠体の４隅に継手を挿入して固定するための断面正方形の金属性角パイプであって、横断面外形寸法が該支柱と同一の金属角パイプからなる係止部を備え、上記係止部は外壁面に上記固定用ボルトを螺合するためのナットが溶接により配設され、該ナットに螺合された上記固定用ボルトが上記壁面を貫通する貫通孔が設けられ、
上記継手は、上記支柱と肉厚、縦及び横の寸法が同一の外側角パイプに、該外側角パイプより長尺且つ該角パイプに挿入可能な内側角パイプであって、該内側角パイプの両端が該外側パイプから突出して溶接したものである結合耐震机用枠体。
【０００８】
４．更に、請求項３に記載の結合耐震机用枠体の２基を、枠体連結具を用いて連結した連結耐震机用枠体。この枠体連結具は前記枠体結合具と同一構造であり、この枠体結合具をそのまま枠体連結具として使用できる。
【０００９】
５．請求項４に記載の連結耐震机用枠体を構成する支柱の上端部、上記結合具係止部及び上記連結具係止部に、継手と該継手に挿入可能な木製角材保持具を備え、且つ上記結合具係止部を構成する長尺材及び上記連結具係止部を構成する長尺材の中央に上記木製角材保持具を備え、
上記継手は上記支柱と肉厚、縦及び横の寸法が同一の金属製角パイプからなる外側角パイプに、該外側角パイプより長尺且つ該外側角パイプに挿入可能な内側角パイプであって、該内側角パイプの一端が該外側角パイプから突出して溶接されたものであり、
上記木製角材保持具は木製角材が挿入可能な金属性角パイプに対して直角に、上記継手の内側角パイプに挿入可能な金属性丸パイプが溶接されたものであることを特徴とする耐震仮設住宅用枠体。 
【００１０】
６．請求項２に記載の耐震家具用枠体に該抽斗受け又は棚受けに抽斗及び／又は棚を配設し、上段部には天板を配設し、中段部には机板材を配設し、下段部短尺材に転倒防止材を配設してボルトで該転倒防止材を固定した耐震机であり、天板を設けることにより天井からの落下物による被災を避ける事ができる。緊急の場合はこの机の下に避難することができる。この枠体は建造物の倒壊によっても損傷しないため安全が確保される。
【００１１】
７．記抽斗は、底板の上部の１部分に抽斗用枠部が設けられたものである耐震机。この耐震机の抽斗は、底板の１部分に抽斗用枠部が設けられたものである。この抽斗の前部は棚として使用でき、後部は通常の抽斗として使用できる。抽斗は底板とともに引出せるために前部にものがおかれていても邪魔になることはない。
【００１２】
８．上記請求項３の結合耐震机用枠体に抽斗受け及び／又は棚受けに抽斗及び／又は棚を、上段部には天板を、中段部には机板材を配設し、上記耐震家具用枠体の上段部には天板を、抽斗受けを設けて抽斗を配設し、且つ枠体結合具上に天板を配設した結合耐震机。請求項３に記載の耐震家具用枠体の枠体の上段部に天板、中段部に机板材、抽斗用受け及び／又は棚受けに斗用及び／又は棚板材を備え、且つ上記枠体連結具上に天板を備えた耐震机であって、枠体の上段部及び枠体連結具の上に天板を備えているため、天井からの落下物による被災を避ける事ができる。また、この耐震机の内部には１０人以上を収容できるため、家族全員が非難できる。又、幼稚園、学校等においても多数の者の安全が確保される。
【００１３】
９．請求項４に記載の連結耐震家具用枠体の枠体の上段部に天板、中段部に机板材、抽斗受け及び／又は棚受けに斗用及び／又は棚板材を備え、且つ上記枠体連結具上に天板を備えた耐震机であって、更に大人数の者を収容できる。地震発生後の余震の恐怖を感じることなくこのシェルター機能を有する耐震机の内部で生活が可能である。
【００１４】
１０．請求項５に記載の耐震仮設住宅用枠体が備える木製角材保持具に、屋根用板材取付け用の木製角材が配設され、該木製角材に屋根用板材が取付けられた耐震仮設住宅であって、屋根があるため、建造物が損壊して雨漏りが激しい場合にも余震の恐怖を感じること無く安心して生活を維持することができる。また、屋外においても仮設住宅として使用できるため、建造物が倒壊した場合は仮設住宅として使用できる。
【考案の効果】
【００１５】
本願耐震机用枠体は断面正方形の支柱、長尺材、短尺材を使用した直方体であるため、剛性が大きい。この枠体の転倒防止を図るため転倒防止材が取付け可能である。この枠体を使用した耐震机は、地震時に内部に避難が可能である。支柱上段部に天板を備えるため、地震による天井からの落下物に対しても安全である。また、転倒防止材を備えるため、耐震机は転倒の恐れが無い。抽斗受け及び／又は棚受けを備えるため剛性が更に大きくなる。抽斗は底板の上部の後部に抽斗用枠部が設けられたものであるため、この抽斗の前部は棚として使用できる。この抽斗は底板を引出して使用するため前部にものがおかれていても邪魔になることは無い。
【００１６】
また、本願耐震机用枠体に、同材料で作成した耐震家具用枠体を枠体結合具で連結した結合耐震机用枠体は安定性が増し、転倒の恐れはほとんど無い。耐震家具用枠体も剛性構造であるため、枠体結合具で結合しても剛性が減少することはない。この結合耐震机用枠体の結合具上に天板を設けた結合耐震机は、枠体結合具の下にも被災者を収容できるため、多人数の安全を確保できる。
【００１７】
更に、上記結合耐震机用枠体同士を枠体連結具で連結した場合は、安定性が更に増し転倒の恐れは全く無い。この枠体連結具上に天板を設けた連結耐震机は地震時に更に他人数の者を収容できる。
【００１８】
また、上記連結耐震机用枠体に継手を用いて、木製角材保持具を配設した場合は、耐震仮設住宅用枠体とすることができる。この木製角材保持具に木製角材を挿入・配設した後、屋根板材を取付けた場合は耐震仮設住宅となる。この耐震仮設住宅は建物が半壊等して雨漏りがした場合には室内においても有効に使用できる。また、野外においても仮設住宅として使用できる。
【考案を実施するための最良の形態】
【００１９】
以下本願考案を図に基づいて説明する。図１は本願耐震机用枠体１００の斜視図である。この耐震机用枠体１００の支柱１２０、短尺材１１０、１３０、１４０、及び長尺材１１１、１３１、１４１は、断面正方形の金属製パイプで作製される。この耐震机用枠体１００の下段部は短尺材１１０と長尺材１１１でコの字状にされる。この短尺材１１１の各端部には４本の支柱１２０が直角に溶接される。
【００２０】
この短尺材１１１は後述する転倒防止材１１０ｃを両端から挿入可能に配置される。この短尺材１１１の上部には、転倒防止材１１０ｃを固定するための固定部１１０ａを設ける。この固定部１１０ａは短尺材１１１に貫通孔を設け、貫通孔上にナット１１０ｎを溶接する。このナット１１０ｎに螺合するボルト１１０ｂで貫通孔を介して転倒防止材１１０ｃを押圧・固定する。この固定部の数は限定がないが通常２箇所以上も受ける。
【００２１】
この耐震机用枠体１００には、抽斗受け１５０、１５１、１５２、１５３及び／又は棚受け１５０、１５１、１５２、１５３（以下抽斗受け及び／又は棚受けを単に「棚受け」ともいう。）を設けることが好ましい。この棚受け１５０、１５１、１５２、１５３には抽斗を設けることもできるし、棚を設けることもできる。この棚受けはアングル鋼材を用いることができる。通常この棚受け１５０、１５１、１５２、１５３は溶接される。
【００２２】
この耐震机用枠体１００の上段部を構成する長尺材１４０間に桟１９０を設けることが好ましい。上段部上に天板１６０を設けたとき天井部からの落下物に対する強度が増すためである。更に後板１８０を固定するための補強材１９１を設けることが好ましい。これらの受け１５０、１５１、１５２、１５３、桟１９０、補強材１９１は枠体の剛性を高める。
【００２３】
この耐震机用枠体１００の上段部は支柱の上端から略１００ｍｍ下に設ける。上段部の上に天板を載置する場合に天板に切り欠きを設けるのみで、この天板を支柱で固定できるためである。さらに支柱の上端には後述する、継手及び枠体連結具を設ける場合があるため、支柱は上段部より上に突き出しているほうが便利だからである。耐震机用枠体１００の中断部は下段部と上段部のほぼ中間に設ける。
【００２４】
下段部長尺材１１１及び短尺材１１０の長さ寸法は特に限定はないが、下段部長尺材１１１と短尺材１１０の長さ寸法の比は９対７〜９対５が好ましい。９対７を超えると美的概観が劣り、９対５未満であると転倒に対して安定性が劣る。また、支柱１２０の長さ寸法にも限定はないが、この支柱１２０と下段部の短尺材１１０の長さ寸法の比は、好ましくは６対１８〜６対１２である。６対１８を超えると転倒に対する安定性が劣り、６対１２未満であると転倒に対する安定性は優れるが美的外観に劣る。これらの長さ寸法が担保される限り地震の横揺れによりこの耐震机用枠体１００が転倒することはほとんど無い。
【００２５】
これら支柱、長尺材、短尺材の断面の外側寸法は特に限定は無いが、好ましくは４５ｍｍ〜５５ｍｍである。より好ましくは４８ｍｍ〜５２ｍｍである。５５ｍｍを超えるとこの耐震机用枠体１００の取扱いが困難となり、４５ｍｍ未満であると耐震机用枠体１００が剛性に欠ける恐れがある。
【００２６】
図２は上述の耐震机用枠体１００を使用した耐震机の組立て図である。耐震机用枠体１００の上段部には天板１６０、中段には机板材１６１を設ける。この天板１６０及び机板材１６１の材質、肉厚には限定は無いが、好ましくは２０ｍｍの集成材を使用する。この天板１６０及び机板材１６１支柱に対する切り欠き部を設け、短尺材及び長尺材上に載置する。
【００２７】
耐震机用枠体１００の下段部の短尺材１１０に転倒防止材１１０ｃを挿入して、ナット１１０ｎに螺合するボルト１１０ｂで固定する。このナット１１０ｎは短尺材１１０にボルト１１０ｂが貫通できる貫通孔の上に溶接する。上述の転倒防止材１１０ｃは、金属製角パイプ又は木製角材を使用する。この転倒防止材１１０ｃの長さは特に限定は無いが、短尺材１１０の長さの１／２のものを２本使用する。転倒防止材１１０ｃを使用しない場合に短尺材１１０の中に収納できるため好適である。
【００２８】
耐震机用枠体１００の棚受け１５０、１５１、１５２、１５３には、棚１７１、１７２、１７２を設けることもできるが抽斗１７０を設けることもできる。必要が無ければ棚及び／又は抽斗１７０は設けない。抽斗１７０は底板１７０ａの上の後部に枠組み１７０ｂを備えたものとすることが好ましい。抽斗１７０にものを収納することもできるし、抽斗１７０の前部は棚としても使用できる。この抽斗１７０を引出すときは底板１７０ａを引出すため、棚として使用した前部にものが置いてあっても邪魔になることはない。更に後板１８０を設けることもできる。この後板１８０は抽斗及び／又は棚のストッパーになる。
【００２９】
図３は本願耐震机１００ａの斜視図である。この図が示すように地震が発生した場合であっても被災者は机板材１６１に下に避難することができる。この耐震机棚１００ａは建物が倒壊しても損壊することは無く、被災者は屋外に避難するよりもこの耐震机１００ａの下に避難したほうがより安全である。地震によりこの耐震机１００ａが転倒することはほとんど無いが、転倒してきた他の家具等による本願耐震机の転倒を防止するために転倒防止材１１０ｃを備える。棚１７１、１７２、１７３及び抽斗１７０は必要に応じて配設する。
【００３０】
図４は本願耐震机１００ａの左側面図である。この図４が示すように耐震机用枠体１００は支柱１２０の長さ寸法が、下段部の短尺材１１０に対して６対１８〜６対１２である場合は地震の横揺れが原因で転倒する可能性は極めて少ない。しかし、倒壊建物が原因で転倒する可能はある。このため、本願耐震机１００ａは転倒防止材１１０ｃを短尺材１１０に取付ける。この転倒防止材１１０ｃは必要とされない場合は、短尺材１１０の中に収納することができる。例えば、本願耐震机１００ａの奥が建造物の壁である場合は使用する必要はない。
【００３１】
図５は耐震家具用枠体２００の斜視図である。この耐震家具用枠体２００使用する短尺材２１０、２４０及び長尺材２１１、２４１は上記耐震机用枠体１００に用いた断面正方形の金属製角パイプと同一の長さ寸法、同一の断面外形寸法、同一の肉厚の金属製角パイプからなり、４本の支柱２２０と、該枠体の下段部及び上段部に長尺材２１１、２４１及び短尺２１０、２４０を配して溶接した略直方体である。上記枠体を構成する４本の支柱のうちの２本及び相対する２本の支柱の同位置に複数のアングル鋼材を架渡して抽斗受け２５０〜２５５を設けることが好ましい。
【００３２】
抽斗受け２５０〜２５５であるアングル鋼材の取付け位置を図５に拡大して示す。拡大して示すようにこのアングル鋼材は支柱２２０の幅の略中間位置に溶接する。また、この耐震家具用枠体２００に上段部に桟２９０を設けることが好ましい。更に補強材１９１を設けることが好ましい。いずれも耐震家具用枠体２００の剛性を高めるためである。
【００３３】
図６はこの耐震家具用枠体２００に抽斗２７１〜２７６を配設する際の説明図である。上述アングル鋼材の溶接説明からわかるように抽斗２７５、２７６の前部２７５ａ及２７６ａは上述のアングル鋼材でストップがかけられるため、これらの抽斗２７１〜２７６は一定位以上奥に入らない。
図７は抽斗２７１から２７６を配置した耐震家具２００ａを裏側から見た斜視図である。
【００３４】
図８は枠体結合具３１０の斜視図である。この枠体結合具３１０を構成する長尺材３１３、短尺材３１２及び係止部３１１を構成する金属製角パイプ３１１ａの断面外側寸法は、上記耐震机用枠体１００に用いた断面正方形の金属製角パイプと同一である。この係止部３１１は金属製角パイプ３１１ａの外壁面に上記固定用ボルト３１１ｂを螺合するためのナット３１１ｎが溶接により配設され、該ナット３１１ｎに螺合された上記固定用ボルト３１１ｂが上記壁面を貫通する貫通孔が設けられる。また枠体結合具３１０には、桟３１４で補強されることが好ましい。
【００３５】
図９は結合耐震机３００ａの組立て図である。前記耐震机１００ａと前記耐震家具２００ａの支柱に継手３２０の一端を挿入し、その後上述の枠体結合具３１０の係止部３１１にこの継手３２０の他端を挿入してボルト３１１ｂで固定する。この継手３２０は、断面外側寸法が、上記耐震机用枠体１００に用いた断面正方形の金属製角パイプと同一である外側金属製角パイプ３２１に挿入可能な内側金属製角パイプ３２２を溶接して作製される。更に、結合耐震机３００ａの枠体結合具３１０の上に天板３６０を配設する。
【００３６】
図９は耐震机１００ａと耐震家具２００ａを枠体結合具３１０を用いて結合耐震机３００ａを組み立てたものであるが、耐震机１００ａと耐震机１００ａとを枠体結合具３１０を用いて結合耐震机３００ａを組み立てることもできる。また、耐震机用枠体１００、耐震家具用枠体２００を結合具で結合した後に必要な天板、抽斗等を配設してもよい。
図１０は結合耐震机３００ａの斜視図である。この斜視図で示すように天板３６０の下に地震発生時に数人の人員を収容することができる。又耐震机１００ａの机板材１６１の下にも２乃至３人の人員を収容できる。従って、幼稚園、学校等においてはシェルターとして有効に使用できる。
【００３７】
図１１は連結耐震机４００ａの組立て図である。この連結耐震机４００ａは２基の結合耐震机を連結具を用いて連結してつくる。上記結合耐震机３００ａに用いた継手３００の他端を枠体連結具４１０の系止部４０１に挿入してボルト４１１ｂで固定する。この枠体連結具４１０は上述の枠体結合具３１０と同一の構造である。次いで天板３６０を配設する。
図１２は連結耐震机４００ａの斜視図である。地震発生時には天板４６０及び３６０の下に十数人の人員を収容できる。従って、幼稚園、学校等においてはシェルターとして更に有効に使用できる。
【００３８】
図１３は他の本願発明の耐震仮設住宅用枠体５００の組立て図である。本願耐震仮設住宅用枠体５００は連結耐震家具用枠体４００の支柱４２０及び枠体結合具３１０、枠体連結具４１０の係止部３１１、４１１に継手５０４を挿入し、次いで木製角材保持具５０１をこの継手５０４に挿入する。この継手５０４は断面外側寸法が、上記耐震机用枠体１００に用いた断面正方形の金属製角パイプと同一である金属製角パイプ５０５に挿入可能な金属製角パイプ５０６を溶接して作製される。金属製角パイプ５０６の一端は金属製角パイプ５０５から突出するように溶接する。また、上記木製角材保持具５０１はこの木製角材５１０が挿入可能な鉄パイプ５０２に連結耐震家具用枠体４００の支柱４２０及び枠体連結具４１０の係止部４０１に挿入可能な金属製丸パイプ５０３を直角に溶接する。更に枠体連結具３１０、４１０を構成する長尺材の中央に上記木製角材保持具５０１を設けるための木製角材保持具５０１を挿入する金属製角パイプ５０７を溶接で取付けることが好ましい。この木製角材保持具を挿入する金属製角パイプ５０７を取付けない場合は木製角材保持具５０１を直接溶接して取り付けることもできる。
【００３９】
図１４は、上記木製角材保持具５０１に木製角材を配設した耐震仮設住宅用枠体５００の斜視図である。上述の木製角材保持具５０１の木製角材５１０〜５１４を挿入する。
図１５はこの耐震仮設住宅用枠体５００に屋根５２０を設ける際の説明図である。屋根材５２１の材質はベニヤ板、亜鉛引き金属製波型トタン、樹脂製波型トタン等を用いることができる。
【００４０】
耐震仮設住宅用５００ａは、耐震仮設住宅用枠体５００に屋根を設けるほかに外囲い（図示しない）を設けることができる。更に生活に必要な調理台、寝台等を備えることができる。この耐震仮設住宅用５００ａは、建物が半壊して雨漏りがする場合には、屋内で使用することができる。又、地震による余震が心配されて屋内において生活ができない場合は、屋外においてこの耐震仮設住宅用５００ａを組立ててこの中で生活ができる。
【実施例１】
【００４１】
〔耐震机用枠体の作製〕
図１に基づいて下記の材料を使用して耐震机用枠体を溶接で作製した。
１．支柱        ：縦５０ｍｍ×横５０ｍｍ×長さ１５００ｍｍ、肉厚：１．６ｍｍ
２．下段部短尺材：縦５０ｍｍ×横５０ｍｍ×長さ６００ｍｍ、肉厚：２．３ｍｍ
３．下段部長尺材：縦５０ｍｍ×横５０ｍｍ×長さ８００ｍｍ、肉厚：１．６ｍｍ
４．中段部短尺材：縦５０ｍｍ×横５０ｍｍ×長さ５００ｍｍ、肉厚：１．６ｍｍ  
５．中段部長尺材：縦５０ｍｍ×横５０ｍｍ×長さ８００ｍｍ、肉厚：１．６ｍｍ
６．上段部短尺材：縦５０ｍｍ×横５０ｍｍ×長さ５００ｍｍ、肉厚：１．６ｍｍ
７．上段部長尺材：縦５０ｍｍ×横５０ｍｍ×長さ８００ｍｍ、肉厚：１．６ｍｍ
８．桟          ：縦５０ｍｍ×横５０ｍｍ×長さ５００ｍｍ、肉厚：１．６ｍｍ、２本
９．補強材      ：縦３２ｍｍ×横１４ｍｍ×長さ８００ｍｍ、肉厚：１．６ｍｍ、１本
１０．棚受け    ：アングル鋼材２５ｍｍ×２５ｍｍ×長さ５５０ｍｍ、肉厚：２．３ｍｍ、４組
１１．転倒防止材固定具：上記下段部短尺材に１７ｍｍの貫通孔を設け、貫通孔の上に１６ｍｍのボルトが螺合するナットを溶接した。
〔耐震机の作製〕
１．天板及び机板材：６００ｍｍ×９００ｍｍ、肉厚：２０ｍｍの集成材の四角を切り欠いて作成した。
２．抽斗：底板に縦５００ｍｍ×横８００ｍｍ、肉厚：１０ｍｍのベニヤ板を使用し、肉厚同一のベニヤ板を使用して縦３００ｍｍ×横５００ｍｍ×高さ１００ｍｍの抽斗枠を上記底板の後部に接着して作製し、最上部の棚受けに配設した。
３．棚は縦３００ｍｍ×横８００ｍｍ、肉厚：２０ｍｍの集成材をもちいて机板材の上部の棚受けに１枚配設けた。
〔耐震家具用枠体の作製〕
図５に基づいて下記の材料を使用して耐震家具用枠体を溶接で作製した。
１．支柱は耐震机用枠体に使用したものと同一のものを同数使用した。
２．下段部短尺材は耐震机用枠体に使用したものと同一のものを同数使用した。
３．下段部長尺材は耐震机用枠体に使用したものと同一のものを同数使用した。
４．上段部短尺材、長尺材及び桟は、耐震机用枠体に使用したものと同一のものを同数使用した。
５．補強材は耐震机用枠体に使用したものと同一のものを３本使用した。
６．抽斗受けは、耐震机用枠体に使用したものと同一のものを６組使用した。
〔耐震家具の作製〕
図６に基づいて天板及び抽斗を配置して作製した。
１．天板は耐震机用枠体に使用したものと同一のものを使用した。
２．抽斗の材料はいずれも厚さ１０ｍｍのベニヤ板材を用い、幅７９５ｍｍ×高さ１００ｍｍと、幅５８０ｍｍ×高さ１００ｍｍの板材を用い、コの字状の枠を作り、抽斗前部は幅８００ｍｍ×高さ１００の板材を取り付けて抽斗用枠体を作り、この枠体を縦７９５ｍｍ×横６００ｍｍの底板に取り付けたものを６個さくせいし、これらの抽斗を上述の抽斗受けの各々に配置した。
〔結合耐震机の作製〕
図９に基づいて結合耐震机を作製した。
１．継手の作製：外側金属製角パイプ縦５０ｍｍ×横５０ｍｍ×長さ３００ｍｍ、肉厚２．３ｍｍに、内側金属製角パイプ縦４０ｍｍ×横４０ｍｍ×長さ６０ｍｍ、肉厚２．３ｍｍを挿入して外側金属製角パイプの両端から１５０ｍｍ突出した位置で溶接して作製した。
２．枠体結合具の作製：
短尺材縦５０ｍｍ×横５０ｍｍ×長さ８００ｍｍ、肉厚２．３ｍｍ                    
長尺材縦５０ｍｍ×横５０ｍｍ×長さ１４００ｍｍ、肉厚２．３ｍｍ
枠体結合具係止部金属製パイプ縦５０ｍｍ×横５０ｍｍ×長さ５０ｍｍ、肉厚２．３ｍｍ          桟５０ｍｍ×５０ｍｍ×８００ｍｍ、肉厚２．３ｍｍ
を溶接で作製し、上記枠体結合部金属製パイプに１７ｍｍの貫通孔を設け、貫通孔の上に１６ｍｍのボルトが螺合するナットを溶接した。
３．組立て：上記継手の一端を耐震机の支柱の上端、及び耐震家具の支柱の上端に挿入し、次いで結合具の係止部を継手の他端に挿入し、その後ボルトで継手を押圧・固定した。
〔連結耐震机の作製〕
１、連結具の作製：上記結合具に用いた短尺材の長さ寸法を１４００ｍｍにした以外は、まったく同様にして作製した。
２．組立て：上記結合耐震机の２組を使用し、上記結合耐震机に用いた継手の他端を連結具の係止部に挿入し、次いでボルトで継手を押圧・固定した。
〔耐震仮設住宅枠体の作製〕
１．継手の作製
（１）下記の継手Ａを８個作製した。
外側金属製角パイプ縦５０ｍｍ×横５０ｍｍ×長さ４００ｍｍ、肉厚１．６ｍｍに、
内側金属製角パイプは縦４５ｍｍ×横４５ｍｍ×長さ５００ｍｍ、肉厚１．６ｍｍを挿入し、一端が１００ｍｍ突出する位置に溶接をした。
（２）下記の継手Ｂを
外側金属製角パイプ縦５０ｍｍ×横５０ｍｍ×長さ２００ｍｍ、肉厚４．５ｍｍに、
内側金属製角パイプは縦４０ｍｍ×横４０ｍｍ×長さ３００ｍｍ、肉厚２．３ｍｍを挿入し、一端が１００ｍｍ突出する位置に溶接をした。
（３）下記の継手Ｃを
外側金属製角パイプ縦５０ｍｍ×横５０ｍｍ×長さ２５０ｍｍ、肉厚４．５ｍｍに、
内側金属製角パイプは縦４０ｍｍ×横４０ｍｍ×長さ１５０ｍｍ、肉厚２．３ｍｍを挿入し、一端が１００ｍｍ突出する位置に溶接をした。
２．木製角材保持具を挿入する金属製角パイプ（以下「保持具用角パイプ」）の作製
保持具用角パイプ：縦４０ｍｍ×横４０ｍｍ×長さ１００ｍｍ、肉厚２．３ｍｍ
３．木製角材保持具の作製
（１）木製角材保持具Ａ：縦６０ｍｍ×横６０ｍｍ×長さ１００ｍｍの金属製角パイプに、外径２．３ｍｍ、長さ５５０ｍｍの金属製丸パイプを上記金属製角パイプの中央に直角に溶接した。
（２）木製角材保持具Ｂ：６０ｍｍ×６０ｍｍ×１００ｍｍの金属製角パイプに、外径２．３ｍｍ、長さ７５０ｍｍの金属製丸パイプを上記金属製角パイプの中央に直角に溶接した。
（３）木製角材保持具Ｃ：６０ｍｍ×６０ｍｍ×１００ｍｍの金属製角パイプに、外径２．３ｍｍ、長さ４００ｍｍの金属製丸パイプを上記金属製角パイプの中央に直角に溶接した。
（４）木製角材保持具Ｄ：６０ｍｍ×６０ｍｍ×１００ｍｍの金属製角パイプに、外径２．３ｍｍ、長さ４５０ｍｍの金属製丸パイプを上記金属製角パイプの中央に直角に溶接した。
３．組立て
保持具用角パイプを結合耐震机用枠体を構成する結合具の長尺材の中央部及び連結耐震机用枠体構成する連結具の長尺材の中央部に溶接した。
次いで、上記継手Ａを連結耐震机用枠体の支柱に、上記継手Ｂを連結耐震机用枠体構成する連結具の係止部に、上記継手Ｃを結合耐震机用枠体を構成する結合具の係止部に挿入した。
その後、木製角材保持具Ａを継手Ａに、木製角材保持具Ｂを継手Ｂ及びＣに、木製角材保持具Ｃ及びＤを保持具用角パイプに挿入した。
次いで、木製角材５０ｍｍ×５０ｍｍ、長さ３６００ｍｍの５本を上記木製角材保持具の各々に挿入した。
〔耐震仮設住宅の作製〕
上記耐震仮設用住宅枠体に、肉厚１０ｍｍ、縦１７００ｍｍ、幅９００ｍｍのベニヤ板を屋根に配設した。
【図面の簡単な説明】
【００４２】
【図１】本願考案の耐震机用枠体斜視図である。
【図２】本願考案の耐震机の組立て図である。
【図３】本願考案の耐震机の斜視図である。
【図４】本願考案の耐震机の左側面図である。
【図５】耐震家具用枠体の斜視図である。
【図６】耐震家具用枠体に抽斗を配置する際の説明図である。
【図７】耐震家具を裏側から見た斜視図である。
【図８】枠体結合具の斜視図である。
【図９】本願考案の結合耐震机の組立て図である。
【図１０】本願考案の結合耐震机の斜視図である。
【図１１】本願考案の連結耐震机の組立て図である。
【図１２】本願考案の連結耐震机の斜視図である。
【図１３】本願考案の耐震仮設住宅用枠体の組立図である。
【図１４】本願考案の耐震仮設住宅用枠体の斜視図である。
【図１５】本願考案の耐震仮設住宅用枠体に屋根を取付ける際の説明図である。
【符号の説明】
【００４３】
１００      耐震机用枠体                  
１００ａ    耐震机                      
１１０      下段短尺材
１１０ａ    固定部                      
１１０ｂ    固定用ボルト                
１１０ｎ    固定用ナット                
１１０ｃ    転倒防止材                
１１１      下段長尺材                  
１２０      支柱                        
１３０      中段短尺材                  
１３１      中段長尺材                  
１４０      上段短尺材                  
１４１      上段長尺材                  
１５１      棚受け                                          
１６０      天板                        
１６１      机板材                      
１７０      抽斗                                  
１７０ａ    抽斗の底板
１７０ｂ    抽斗の枠
１７１      棚                          
１８０      後板                        
１９０      桟  
２００      耐震家具用枠体  
２００ａ    耐震家具
２１０      下段短尺材
２１１      下段長尺材
２２０      支柱
２３０      中段短尺材
２３１      中段長尺材
２４０      上段短尺材
２４１      上段長尺材
２５１      抽斗受け
２６０      天板
２７１      抽斗
２７５ａ    抽斗前部
２７６      抽斗
２７６ａ    抽斗前部
３００      結合耐震机用枠体
３００ａ    結合耐震机
３１０      枠体結合具
３１１      枠体結合具の係止部
３１１ａ    枠体結合具金属製パイプ
３１１ｂ    枠体結合具ボルト
３２０      継手
３２１      継手を構成する外側金属製パイプ
３２２      継手を構成する内側金属製パイプ
３６０      天板
４００      連結耐震机用枠体
４００ａ    連結耐震机
４１０      枠体連結具
４１１      枠体連結具の係止部
４１１ａ    枠体連結具金属製パイプ
４１１ｂ    枠体連結具ボルト
４２０      継手
４２１      継手を構成する外側金属製パイプ
４２２      継手を構成する内側金属製パイプ
４６０      天板
５００      耐震仮設住宅用枠体
５００ａ    耐震仮設住宅
５０１      木製角材保持具
５０２      木製角材保持具を構成する金属製角パイプ
５０３      木製角材保持具を構成する金属製丸パイプ
５０４      継手
５０５      継手を構成する外側角パイプ
５０６      継手を構成する内側角パイプ
５０７      木製角材保持具を挿入する金属製角パイプ
５１０      木製角材
５２０      屋根
５２１      屋根材
【図１】
0003156609.tif 000003
【図２】
0003156609.tif 000004
【図３】
0003156609.tif 000005
【図４】
0003156609.tif 000006
【図５】
0003156609.tif 000007
【図６】
0003156609.tif 000008
【図７】
0003156609.tif 000009
【図８】
0003156609.tif 000010
【図９】
0003156609.tif 000011
【図１０】
0003156609.tif 000012
【図１１】
0003156609.tif 000013
【図１２】
0003156609.tif 000014
【図１３】
0003156609.tif 000015
【図１４】
0003156609.tif 000016
【図１５】
0003156609.tif 000017
【手続補正書】
【提出日】平成21年9月1日(2009.9.1)
【手続補正１】
【補正対象書類名】実用新案登録請求の範囲
【補正対象項目名】全文
【補正方法】変更
【補正の内容】
【実用新案登録請求の範囲】
【請求項１】
耐震机用枠体であって、
上記耐震机用枠体は断面正方形の金属製角パイプからなり、４本の支柱と、該耐震机用枠体の下段部、上段部及び中段部に長尺材及び短尺材を配して溶接した略直方体であり、
上記耐震机用枠体の下段部は２本の短尺材と１本の長尺材からコの字形状に溶接され、該短尺材の各端部には上記４本の支柱が設けられ、
上記耐震机用枠体の下段部の短尺材は、転倒防止材を両方向から挿入可能であり、挿入された上記転倒防止材は上記耐震机用枠体の下段部の短尺材の上部に貫通孔と該貫通孔上にナットを溶接した固定部を備え、上記ナットに螺合するボルトで貫通孔を介して上記転倒防止材を押圧して固着することができることを特徴とする耐震机用枠体。
【請求項２】
上記耐震机用枠体を構成する４本の支柱のうちの２本及び相対する２本の支柱の同位置に複数のアングル鋼材を架渡して抽斗受け及び／又は棚受けを備えた請求項１記載の耐震机用枠体。
【請求項３】
請求項１又は請求項２に記載の耐震机用枠体に用いた断面正方形の金属製角パイプと同一の寸法の金属製角パイプからなる耐震家具用枠体であって、４本の支柱と、該耐震家具用枠体の下段部及び上段部に長尺材及び短尺材を配して溶接した略直方体である耐震家具用枠体と、
上記耐震机用枠体と、
を枠体結合具及び継手を用いて結合し、
上記枠体結合具は断面正方形の金属製角パイプにより平面視矩形状に形成され、上記耐震家具用枠体及び上記耐震机用枠体の４隅に継手を挿入して固定するための断面正方形の金属製角パイプであって、横断面外形寸法が該支柱と同一の金属製角パイプからなる係止部を備え、上記係止部は外壁面に固定用ボルトを螺合するためのナットが溶接により配設され、該ナットに螺合された上記固定用ボルトが上記外壁面を貫通する貫通孔が設けられ、
上記継手は、上記支柱と肉厚、縦及び横の寸法が同一の金属製角パイプからなる外側角パイプに、該外側角パイプより長尺且つ該外側角パイプに挿入可能な内側角パイプであって、該内側角パイプの両端が該外側角パイプから突出して溶接したものであることを特徴とする結合耐震机用枠体。
【請求項４】
請求項３に記載の結合耐震机用枠体の２基を、枠体結合具が備える係止部と同一の係止部を備えた上記枠体結合具と同一構造の枠体連結具を用いて連結したことを特徴とする連結耐震机用枠体。
【請求項５】
請求項４に記載の連結耐震机用枠体を構成する支柱の上端部、結合具の備える係止部及び連結具の備える係止部に、継手と該継手に挿入可能な木製角材保持具を備え、且つ上記結合具を構成する長尺材及び上記連結具を構成する長尺材の中央に上記木製角材保持具を備え、
上記継手は上記支柱と肉厚、縦及び横の寸法が同一の金属製角パイプからなる外側角パイプに、該外側角パイプより長尺且つ該外側角パイプに挿入可能な内側角パイプであって、該内側角パイプの一端が該外側角パイプから突出して溶接されたものであり、
上記木製角材保持具は木製角材が挿入可能な金属製角パイプに対して直角に、上記継手の内側角パイプに挿入可能な金属製丸パイプが溶接されたものであることを特徴とする耐震仮設住宅用枠体。
【請求項６】
請求項２に記載の耐震机用枠体に抽斗受け及び／又は棚受けに抽斗及び／又は棚を、上段部には天板を、中段部には机板材を配設し、下段部の短尺材に転倒防止材を挿入してボルトで該転倒防止材を固定したことを特徴とする耐震机。
【請求項７】
上記抽斗は、底板の上部の１部分に抽斗用枠部が設けられたものである請求項６記載の耐震机。
【請求項８】
請求項３に記載の結合耐震机用枠体を構成する耐震机用枠体に抽斗受け及び／又は棚受けに抽斗及び／又は棚を、上段部には天板を、中段部には机板材を配設し、且つ上記結合耐震机用枠体の構成する耐震家具用枠体の上段部には天板を、支柱に抽斗受けを設けて抽斗を配設し、且つ枠体結合具上に天板を配設したことを特徴とする結合耐震机。
【請求項９】
請求項４に記載の連結耐震机用枠体を構成する耐震机用枠体の上段部に天板、中段部に机板材、抽斗用受け及び／又は棚受けに抽斗及び／又は棚板材を備え、上記連結耐震机用枠体を構成する耐震家具用枠体の上段部には天板を、抽斗受けを設けて抽斗を配設し、且つ上記枠体連結具上に天板を備えたことを特徴とする連結耐震机。
【請求項１０】
請求項５に記載の耐震仮設住宅用枠体が備える木製角材保持具に、木製角材が連通して配設され、該木製角材に屋根用板材が取付けられた耐震仮設住宅。
【手続補正書】
【提出日】平成21年11月2日(2009.11.2)
【手続補正１】
【補正対象書類名】実用新案登録請求の範囲
【補正対象項目名】全文
【補正方法】変更
【補正の内容】
【実用新案登録請求の範囲】
【請求項１】
耐震机用枠体であって、
上記耐震机用枠体は断面正方形の金属製角パイプからなり、４本の支柱と、該耐震机用枠体の下段部、上段部及び中段部に長尺材及び短尺材を配して溶接した略直方体であり、
上記耐震机用枠体の下段部は２本の短尺材と１本の長尺材からコの字形状に溶接され、該短尺材の各端部には上記４本の支柱が設けられ、
上記耐震机用枠体の下段部の短尺材は、転倒防止材を両方向から挿入可能であり、挿入された上記転倒防止材は上記耐震机用枠体の下段部の短尺材の上部に貫通孔と該貫通孔上にナットを溶接した固定部を備え、上記ナットに螺合するボルトで貫通孔を介して上記転倒防止材を押圧して固着することができることを特徴とする耐震机用枠体。
【請求項２】
上記耐震机用枠体を構成する４本の支柱のうちの２本及び相対する２本の支柱の同位置に複数のアングル鋼材を架渡して抽斗受け及び／又は棚受けを備えた請求項１記載の耐震机用枠体。
【請求項３】
請求項１又は請求項２に記載の耐震机用枠体に用いた断面正方形の金属製角パイプと同一の寸法の金属製角パイプからなる耐震家具用枠体であって、４本の支柱と、該耐震家具用枠体の下段部及び上段部に長尺材及び短尺材を配して溶接した略直方体である耐震家具用枠体と、
上記耐震机用枠体と、
を枠体結合具及び継手を用いて結合し、
上記枠体結合具は断面正方形の金属製角パイプにより平面視矩形状に形成され、上記耐震家具用枠体及び上記耐震机用枠体の４隅に継手を挿入して固定するための断面正方形の金属製角パイプであって、横断面外形寸法が該支柱と同一の金属製角パイプからなる係止部を備え、上記係止部は外壁面に固定用ボルトを螺合するためのナットが溶接により配設され、該ナットに螺合された上記固定用ボルトが上記外壁面を貫通する貫通孔が設けられ、
上記継手は、上記支柱と肉厚、縦及び横の寸法が同一の金属製角パイプからなる外側角パイプに、該外側角パイプより長尺且つ該外側角パイプに挿入可能な内側角パイプであって、該内側角パイプの両端が該外側角パイプから突出して溶接したものであることを特徴とする結合耐震机用枠体。
【請求項４】
請求項３に記載の結合耐震机用枠体の２基を、枠体結合具が備える係止部と同一の係止部を備えた上記枠体結合具と同一構造の枠体連結具を用いて連結したことを特徴とする連結耐震机用枠体。
【請求項５】
請求項４に記載の連結耐震机用枠体を構成する支柱の上端部、枠体結合具の備える係止部及び枠体連結具の備える係止部に、継手と該継手に挿入可能な木製角材保持具を備え、且つ上記枠体結合具を構成する長尺材及び上記枠体連結具を構成する長尺材の中央に上記木製角材保持具を備え、
上記継手は上記支柱と肉厚、縦及び横の寸法が同一の金属製角パイプからなる外側角パイプに、該外側角パイプより長尺且つ該外側角パイプに挿入可能な内側角パイプであって、該内側角パイプの一端が該外側角パイプから突出して溶接されたものであり、
上記木製角材保持具は木製角材が挿入可能な金属製角パイプに対して直角に、上記継手の内側角パイプに挿入可能な金属製丸パイプが溶接されたものであることを特徴とする耐震仮設住宅用枠体。
【請求項６】
請求項２に記載の耐震机用枠体に抽斗受け及び／又は棚受けに抽斗及び／又は棚を、上段部には天板を、中段部には机板材を配設し、下段部の短尺材に転倒防止材を挿入してボルトで該転倒防止材を固定したことを特徴とする耐震机。
【請求項７】
上記抽斗は、底板の上部の１部分に抽斗用枠部が設けられたものである請求項６記載の耐震机。
【請求項８】
請求項３に記載の結合耐震机用枠体を構成する耐震机用枠体に抽斗受け及び／又は棚受けに抽斗及び／又は棚を、上段部には天板を、中段部には机板材を配設し、且つ上記結合耐震机用枠体の構成する耐震家具用枠体の上段部には天板を、支柱に抽斗受けを設けて抽斗を配設し、且つ枠体結合具上に天板を配設したことを特徴とする結合耐震机。
【請求項９】
請求項４に記載の連結耐震机用枠体を構成する耐震机用枠体の上段部に天板、中段部に机板材、抽斗用受け及び／又は棚受けに抽斗及び／又は棚板材を備え、上記連結耐震机用枠体を構成する耐震家具用枠体の上段部には天板を、抽斗受けを設けて抽斗を配設し、且つ上記枠体連結具上に天板を備えたことを特徴とする連結耐震机。
【請求項１０】
請求項５に記載の耐震仮設住宅用枠体が備える木製角材保持具に、木製角材が連通して配設され、該木製角材に屋根用板材が取付けられた耐震仮設住宅。